(57)【要約】  【課題】  開閉及び回動するフラップ表示パネルを備えることなく、撮像した画像を複数方向から視認することができる撮像装置を提供する。  【解決手段】  撮像した画像を表示するファインダ表示パネル３を収容している略直方体の収容体１の正面１ａ側及び背面１ｂ側夫々に、ファインダ用の正面側窓部１０及び背面側窓部１１を備え、ファインダ表示パネル３に表示された画像の光の進行方向を、正面側窓部１０及び背面側窓部１１のいずれかの方向へ選択的に切り換えるプリズム５を回動自在に備える。【選択図】        図１
2006180286.tif 000002
【特許請求の範囲】
【請求項１】
撮像手段が撮像した画像を表示するファインダ表示パネルと、該ファインダ表示パネルに表示された画像の光を外部へ出射する窓部とを備える撮像装置において、
前記窓部を複数備えてあり、
前記ファインダ表示パネルに表示された画像の光の進行方向を、複数の前記窓部の方向のいずれかへ選択的に切り換える切換手段を備える
ことを特徴とする撮像装置。
【請求項２】
前記窓部の一つは、
前記撮像手段による撮像方向を向くように構成されている
ことを特徴とする請求項１に記載の撮像装置。
【請求項３】
前記切換手段は、
回動自在に支持されている平面鏡又はプリズムであることを特徴とする
請求項１又は請求項２に記載の撮像装置。
【請求項４】
前記撮像手段が撮像した画像を鏡像反転して前記ファインダ表示パネルに表示させる手段を備える
ことを特徴とする請求項３に記載の撮像装置。
【請求項５】
前記ファインダ表示パネルを収容する収容体と、
該収容体に配されており、前記撮像手段が撮像した画像を表示する表示部と
を備えることを特徴とする請求項１乃至請求項４のいずれか一つに記載の撮像装置。
【請求項６】
前記撮像手段はレンズを有しており、
該レンズ又は前記窓部の一つを選択的に覆う蓋部を備え、
該蓋部は、
前記ファインダ表示パネルに表示された画像を拡大する拡大レンズを有する
ことを特徴とする請求項１乃至請求項５のいずれか一つに記載の撮像装置。
【発明の詳細な説明】
【技術分野】
【０００１】
本発明は、撮像した画像を表示するファインダを備える撮像装置に関する。
【背景技術】
【０００２】
従来の撮像装置は、撮像した画像を表示するファインダ表示パネルを収容した収容体の背面側に、ファインダの窓部を備え、正面側にレンズを配している。また、収容体には、撮像した画像を表示するフラップ表示パネルが、フラップ表示パネルの開閉軸に略垂直な回動軸周りに回動自在に設けられている。
【０００３】
このように構成される撮像装置においては、ファインダ表示パネル又はフラップ表示パネルのいずれかを用いて、撮像した画像を視認することができる。また、収容体に対してフラップ表示パネルを回動させることにより、撮像装置の使用者は、フラップ表示パネルに表示された画像を背面側及び正面側から視認することができる。
【特許文献１】特開２０００−２３６４５４号公報
【発明の開示】
【発明が解決しようとする課題】
【０００４】
しかしながら、従来の撮像装置においては、フラップ表示パネルを収容体に対して開閉及び回動自在に枢支する回動機構を備える必要があるため、前記回動機構を備えない撮像装置に比べて、撮像装置の構造が複雑であるという問題があった。
【０００５】
本発明は斯かる事情に鑑みてなされたものであり、ファインダ表示パネルからの光を出射する窓部を収容体に複数備えることにより、撮像した画像を複数方向から視認することができ、しかもフラップ表示パネルを開閉及び回動自在に枢支する回動機構を備える撮像装置に比べて構造が簡単な撮像装置を提供することを目的とする。
【０００６】
また、窓部の一つが正面側を向くように構成することにより、撮像した画像を正面側から視認することができる撮像装置を提供することを他の目的とする。
【０００７】
更に、収容体に対して回動自在に支持されている平面鏡又はプリズムによって、ファインダ表示パネルに表示された画像の光の進行方向を切り換えるように構成することにより、撮像した画像を視認するための窓部を簡単な構造で選択することができる撮像装置を提供することを他の目的とする。
【０００８】
更にまた、撮像した画像を鏡像反転してファインダ表示パネルに表示させるように構成することにより、表示された画像の光が平面鏡又はプリズムにより反射して窓部へ出射する場合であっても、使用者が鏡像反転していない画像を視認することができる撮像装置を提供することを他の目的とする。
【０００９】
更にまた、撮像した画像を表示する表示部を収容体に配することにより、撮像した画像をファインダ表示パネル及び表示部を用いて複数方向から同時に視認することができる撮像装置を提供することを他の目的とする。
【００１０】
更にまた、ファインダ表示パネルに表示した画像を拡大する拡大レンズを有し、撮像用のレンズ又は窓部を選択的に覆う蓋部を備えることにより、ファインダ表示パネルに表示された画像を拡大し、また、レンズを保護することができる撮像装置を提供することを他の目的とする。
【課題を解決するための手段】
【００１１】
本発明に係る撮像装置は、撮像手段が撮像した画像を表示するファインダ表示パネルと、該ファインダ表示パネルに表示された画像の光を外部へ出射する窓部とを備える撮像装置において、前記窓部を複数備えてあり、前記ファインダ表示パネルに表示された画像の光の進行方向を、複数の前記窓部の方向のいずれかへ選択的に切り換える切換手段を備えることを特徴とする。
【００１２】
本発明にあっては、撮像手段により撮像された画像が、ファインダ表示パネルに表示される。切換手段は、ファインダ表示パネルに表示された画像の光の進行方向を、複数の窓部の方向のいずれかへ選択的に切り換える。進行方向が切り換えられた前記画像の光は、窓部から外部へ出射する。
【００１３】
本発明に係る撮像装置は、前記窓部の一つが、前記撮像手段による撮像方向を向くように構成されていることを特徴とする。
【００１４】
本発明にあっては、窓部の一つが撮像手段による撮像方向を向いているため、ファインダ表示パネルに表示された画像の光は、前記窓部から撮像方向へ向けて出射される。つまり、前記画像の光は、被撮像体の方向へ出射される。
【００１５】
本発明に係る撮像装置は、前記切換手段が、回動自在に支持されている平面鏡又はプリズムであることを特徴とする。
【００１６】
本発明にあっては、平面鏡又はプリズムが、ファインダ表示パネルに表示された画像の光を、一つの窓部の方向へ反射する。そして、平面鏡又はプリズムが回動した場合、平面鏡又はプリズムにより反射される前記画像の光の進行方向は、他の窓部の方向へ切り換えられる。
【００１７】
本発明に係る撮像装置は、前記撮像手段が撮像した画像を鏡像反転して前記ファインダ表示パネルに表示させる手段を備えることを特徴とする。
【００１８】
本発明にあっては、撮像手段が撮像した画像は鏡像反転されてファインダ表示パネルに表示される。従って、ファインダ表示パネルに表示された画像の光が平面鏡又はプリズムにより反射される場合であっても、鏡像反転されて表示された画像が更に鏡像反転されるため、結果として鏡像反転していない画像の光が外部へ出射される。
【００１９】
本発明に係る撮像装置は、前記ファインダ表示パネルを収容する収容体と、該収容体に配されており、前記撮像手段が撮像した画像を表示する表示部とを備えることを特徴とする。
【００２０】
本発明にあっては、収容体に配された表示部及びファインダ表示パネル夫々が、撮像手段により撮像された画像を表示する。
【００２１】
本発明に係る撮像装置は、前記撮像手段がレンズを有しており、該レンズ又は前記窓部の一つを選択的に覆う蓋部を備え、該蓋部は、前記ファインダ表示パネルに表示された画像を拡大する拡大レンズを有することを特徴とする。
【００２２】
本発明にあっては、蓋部が撮像手段のレンズ又は窓部を選択的に覆う。蓋部がレンズを覆う場合、蓋部により撮像手段のレンズが保護される。蓋部が窓部を覆う場合、ファインダ表示パネルに表示された画像は、蓋部が有する拡大レンズにより拡大される。
【発明の効果】
【００２３】
本発明によれば、撮像した画像を複数方向から視認することができ、しかもフラップ表示パネルを開閉及び回動自在に枢支する回動機構を備える撮像装置に比べて構造がより簡単な撮像装置を構成することができる。また、フラップ表示パネル及び回動機構を備えないため、撮像装置の外観がより簡素となる。更に、撮像時に邪魔になる虞のあるフラップ表示パネルを開くことなく、撮像した画像を複数方向から視認することができる。
【００２４】
本発明によれば、撮像手段により撮像された画像を正面側から視認することができる。
【００２５】
本発明によれば、撮像した画像を視認するための窓部を選択できる撮像装置を、フラップ表示パネルを開閉及び回動自在に枢支する回動機構を備える撮像装置に比べて、より簡単に構成することができる。
【００２６】
本発明によれば、ファインダ表示パネルに表示された画像の光が平面鏡又はプリズムにより反射して窓部へ出射する場合であっても、使用者は鏡像反転していない画像を視認することができる。
【００２７】
本発明によれば、撮像した画像を、ファインダ表示パネル及び表示部を用いて複数方向から同時に視認することができる。
【００２８】
本発明によれば、蓋部が備える拡大レンズにより、ファインダ表示パネルに表示された画像を拡大し、また、蓋部によりレンズを保護することができる。
【発明を実施するための最良の形態】
【００２９】
以下、本発明をその実施の形態を示す図面に基づいて詳述する。
（実施の形態１）
図１は、実施の形態１に係る撮像装置の略示断面図、図２は、撮像装置の略示正面図、図３は、撮像装置の略示背面図、図４は、撮像装置のブロック図である。図中１は、略直方体の収容体であり、収容体１の正面１ａの略中央部には、撮像手段２が設けられている。
【００３０】
撮像手段２は、図４に示すように被撮像体からの光を集光するレンズ２ａ、及びレンズ２ａで集光されて結像した像をアナログの撮像信号に光電変換する撮像素子２ｂを有している。撮像素子２ｂは、例えばアスペクト比が４／３のＣＣＤを用いてなり、光電変換した撮像信号を信号処理部８０へ出力する。
【００３１】
信号処理部８０は、撮像素子２ｂから出力されたアナログの撮像信号をデジタルの画像データにＡＤ変換し、ＡＤ変換した画像データを画像処理部８２へ出力する。撮像信号の出力及び撮像信号のＡＤ変換は、マイクロコンピュータを用いてなる制御部８１により制御されている。
【００３２】
画像処理部８２には、画像処理用のメモリ８３が設けられており、画像処理部８２は、信号処理部８０から出力された画像データに対して、鏡像反転、上下反転等の画像処理を行う。画像処理部８２は、画像処理した画像データを、表示用の画像データに変換してファインダ表示パネル３及び表示部４へ出力する。また画像処理部８２は、画像データを圧縮伸張部８４へ出力する。
【００３３】
表示部４は、図３に示すように、収容体１の背面１ｂ側に配されているアスペクト比が４／３の液晶パネルである。
【００３４】
ファインダ表示パネル３は、表示部４に比べて表示面積が小さく形成されているアスペクト比が４／３の液晶パネルを備えており、画像処理部８２から出力された画像データに基づいて、撮像手段２により撮像された画像を表示する。ファインダ表示パネル３は、収容体１の下面１ｄに略平行であり、長辺が収容体１の両側面１ｅ、１ｆに対して略垂直になるように、表示面を上方に向けて下面１ｄ側寄りに配されている。また、ファインダ表示パネル３に表示される画像は、被撮像体の上方が収容体１の背面１ｂ方向を向くようにして表示される。
【００３５】
ファインダ表示パネル３に表示された画像の光は、収容体１の上方に配されたプリズム５へ出射される。プリズム５は、直角プリズムのような反射プリズムであり、ファインダ表示パネル３に表示された画像の光を反射する略長方形の反射面５ａを有している。
【００３６】
収容体１は、反射面５ａの長辺及び収容体１の背面１ｂに略平行な回動軸７０周りにプリズム５を回動自在に支持する支持部７１を備えており、支持部７１は、ファインダ表示パネル３に表示された画像の光、即ちファインダ表示パネル３から出射された光の反射方向が収容体１の正面１ａ側乃至背面１ｂ側の範囲となるように、プリズム５を係止して回動範囲を制限する板状の制限部７１ａを有している。図１（ａ）に示すように、制限部７１ａの一端にプリズム５の反射面５ａが当接した場合、ファインダ表示パネル３から出射された光は、略４５度の入射角で反射面５ａに入射し、入射した光は、収容体１の正面１ａ方向に反射する。図１（ｂ）に示すように、制限部７１ａの他端にプリズム５の反射面５ａが当接した場合、ファインダ表示パネル３から出射された光は、略４５度の入射角で反射面５ａに入射し、入射した光は、収容体１の背面１ｂ方向に反射する。
【００３７】
収容体１は、回動軸７０を回転させて、プリズム５を回動軸７０周りに回動させるモータ６、例えばステッピングモータを備えており、モータ６の回転角及び回転方向は、制御部８１により制御されるように構成されている。
【００３８】
収容体１は、図２に示すように平面視で正面１ａ側の右上部分、及び図３に示すように背面１ｂ側の左上部分に夫々、プリズム５の反射面５ａにて反射された光を透過して外部へ出射する略矩形の正面側窓部１０及び背面側窓部１１を備えている。
【００３９】
図４に示した圧縮伸張部８４は、画像処理部８２から出力された画像データを、ＪＰＥＧ、ＭｏｔｉｏｎＪＰＥＧ、ＭＰＥＧ２等の圧縮伸張方式により圧縮し、圧縮した画像データを記録再生部８５へ出力する。記録再生部８５は、圧縮伸張部８４から出力された画像データを、半導体メモリ、ＤＶＤ、ハードディスク等の記録媒体８６に記録する。
【００４０】
また、収容体１は、図３に示すように平面視で、背面１ｂの表示部４より上側部分に電源スイッチ８７ａ及び切換ボタン８７ｃを並設しており、上面１ｃの右側面寄りに撮像ボタン８７ｂを配設している。電源スイッチ８７ａ、撮像ボタン８７ｂ及切換ボタン８７ｃ夫々の操作状態は、制御部８１が検出する。
【００４１】
図５及び図６は、撮像及び撮像した画像の表示に関する制御部８１の処理手順を示すフローチャートである。電源スイッチ８７ａがオンになった場合、制御部８１は、反射フラグＦに０を設定する（ステップＳ１）。反射フラグＦは、ファインダ表示パネル３から出射された光のプリズム５による反射方向を示している。
【００４２】
次いで、制御部８１は、切換ボタン８７ｃの操作状態を検出し、切換ボタン８７ｃが操作されたか否かを判定する（ステップＳ２）。切換ボタン８７ｃが操作されたと判定した場合（ステップＳ２：ＹＥＳ）、制御部８１は、反射フラグＦが０であるか否かを判定する（ステップＳ３）。
【００４３】
反射フラグＦが０であると判定した場合（ステップＳ３：ＹＥＳ）、制御部８１は、図１の平面視で反時計回りにモータ６を略９０度回転させ（ステップＳ４）、反射フラグＦに１を設定する（ステップＳ５）。ステップＳ４の処理により、プリズム５は、略９０度反時計回りに回動し、反射面５ａが正面側窓部１０の方向を向く。
【００４４】
反射フラグＦが０でないと判定した場合（ステップＳ３：ＮＯ）、制御部８１は、図１の平面視で時計回りにモータ６を略９０度回転させ（ステップＳ６）、反射フラグＦに０を設定する（ステップＳ７）。ステップＳ６の処理により、プリズム５は、略９０度時計回りに回動し、反射面５ａが背面側窓部１１の方向を向く。
【００４５】
ステップＳ５又はステップＳ７の処理を終えた場合、若しくはステップＳ２において切換ボタン８７ｃが操作されていないと判定した場合（ステップＳ２：ＮＯ）、制御部８１は、信号処理部８０に撮像信号をＡＤ変換させる（ステップＳ８）。
【００４６】
次いで、制御部８１は、ＡＤ変換した画像データを、表示用の画像データに変換して表示部４へ出力する（ステップＳ９）。
【００４７】
ステップＳ９の処理を終えた場合、制御部８１は、画像処理部８２に、画像データの画像を鏡像反転させる（ステップＳ１０）。次いで、制御部８１は、反射フラグＦが１であるか否かを判定する（ステップＳ１１）。反射フラグＦが１であると判定した場合（ステップＳ１１：ＹＥＳ）、制御部８１は、画像処理部８２に鏡像反転した画像を上下反転させる（ステップＳ１２）。
【００４８】
ステップＳ１２の処理を終えた場合、又はステップＳ１１において反射フラグＦが１でないと判定した場合（ステップＳ１１：ＮＯ）、制御部８１は、画像処理した画像データを、表示用の画像データに変換してファインダ表示パネル３へ出力する（ステップＳ１３）。
【００４９】
ステップＳ１３の処理を終えた場合、制御部８１は、撮像ボタン８７ｂの操作状態を検出し、撮像ボタン８７ｂが操作されたか否かを判定する（ステップＳ１４）。撮像ボタン８７ｂが操作されたと判定した場合（ステップＳ１４：ＹＥＳ）、制御部８１は、圧縮伸張部８４に、ＡＤ変換した画像データを所定の圧縮伸張方式により圧縮させ、記録再生部８５に、圧縮された画像データを記録媒体８６に記憶させる（ステップＳ１５）。
【００５０】
ステップＳ１５の処理を終えた場合、又はステップＳ１４において撮像ボタン８７ｂが操作されていないと判定した場合（ステップＳ１４：ＮＯ）、制御部８１は、電源スイッチ８７ａの操作状態を検出し、電源スイッチ８７ａがオンの状態にあるか否かを判定する（ステップＳ１６）。
【００５１】
電源スイッチ８７ａがオンの状態にあると判定した場合（ステップＳ１６：ＹＥＳ）、制御部８１は処理をステップＳ２へ戻す。電源スイッチ８７ａがオンの状態にないと判定した場合（ステップＳ１６：ＮＯ）、制御部８１は、反射フラグＦが１であるか否かを判定する（ステップＳ１７）。
【００５２】
反射フラグＦが１であると判定した場合（ステップＳ１７：ＹＥＳ）、制御部８１は、図１の平面視で時計回りにモータ６を略９０度回転させる（ステップＳ１８）。ステップＳ１８の処理により、プリズム５は、略９０度時計回りに回動し、反射面５ａが背面側窓部１１の方向を向く。ステップＳ１８の処理を終えた場合、又はステップＳ１７において反射フラグＦが１でないと判定した場合（ステップＳ１７：ＮＯ）、制御部８１は処理を終える。
【００５３】
このように構成される撮像装置にあっては、撮像した画像を正面１ａ側及び背面１ｂ側から視認することができ、しかもフラップ表示パネルを開閉及び回動自在に枢支する回動機構を備える撮像装置に比べて構造をより簡単にすることができる。
【００５４】
また、フラップ表示パネル及び回動機構を備えないため、該回動機構等を備える撮像装置に比べて、撮像装置の外観がより簡素となる。
【００５５】
更に、撮像時に邪魔になる虞のあるフラップ表示パネルを開くことなく、撮像した画像を正面１ａ側及び背面１ｂ側から視認することができる。
【００５６】
更にまた、撮像した画像を正面１ａ側及び背面１ｂ側から視認することができる撮像装置を、収容体１の正面１ａ側及び背面１ｂ側夫々に表示部を備える撮像装置に比べて、より低コストで製造することができる。
【００５７】
更にまた、ステップＳ１０の処理により、撮像した画像を鏡像反転してファインダ表示パネル３に表示させるため、撮像装置の使用者は、プリズム５にて反射された鏡像反転していない画像を視認することができる。
【００５８】
なお、実施の形態１においては、ファインダ表示パネルからの光を反射するプリズムを備えているが、これに限らず平面鏡により前記光を反射するように構成してもよい。
【００５９】
また、正面側窓部及び背面側窓部を備えているが、収容体の他の位置に窓部を複数備えても良い。例えば、収容体の上面側に窓部を更に備え、撮像した画像を背面、上面及び正面側から視認することができるように構成しても良い。
【００６０】
更に、正面側窓部に、ファインダ表示パネルに表示された画像を拡大するためのレンズを備えるように構成しても良い。前記レンズを備えた場合、撮像された画像をより大きな画像として視認することができる。
【００６１】
更にまた、表示部を備える撮像装置を説明したが、表示部を備えないように撮像装置を構成しても良い。表示部を備えない場合、撮像された画像を複数方向から視認することができる撮像装置をより低コストで製造することができる。
【００６２】
（実施の形態２）
図７は、実施の形態２に係る撮像装置の略示斜視図、図８は、撮像装置の略示正面図である。実施の形態２に係る撮像装置は、実施の形態１と同様のファインダ表示パネル３を収容した略直方体の収容体１０１を備えており、収容体１０１は正面１０１ａ側の略中央部にレンズ２ａを配しており、レンズ２ａの上方にファインダ表示パネル３からの光を出射する正面側窓部１１０を備えている。また、収容体１０１は背面１０１ｂ側の略中央部の上方寄りに背面側窓部１１１を備えている。
【００６３】
収容体１０１のレンズ２ａ周辺部には、レンズ２ａ及び正面側窓部１１０を選択的に覆う円盤状の蓋部９０が、蓋部回動軸９１によって開閉自在に枢支されている。図８（ａ）は、蓋部９０によりレンズ２ａが覆われた状態を示している。図８（ｂ）は、図８（ａ）に示す状態から蓋部９０が上方へ開き、蓋部９０により正面側窓部１１０が覆われた状態を示している。蓋部９０は、正面側窓部１１０に対向してファインダ表示パネル３に表示された画像を拡大する矩形の拡大レンズ９０ａを備えている。
【００６４】
収容体１０１及び蓋部９０以外の他の構成、作用及び効果は、実施の形態１に係る撮像装置の構成、作用及び効果と同様であるため、同様の箇所には同様の符号を付して詳細な説明を省略する。
【００６５】
このように構成される撮像装置にあっては、蓋部９０により正面側窓部１１０を覆うことにより、ファインダ表示パネル３に表示された画像を拡大することができ、撮像装置の使用者は、拡大された前記画像を視認して、撮像状態を確認することができる。また、蓋部９０によってレンズ２ａを覆うことにより、レンズ２ａを保護することができる。
【図面の簡単な説明】
【００６６】
【図１】実施の形態１に係る撮像装置の略示断面図である。
【図２】撮像装置の略示正面図である。
【図３】撮像装置の略示背面図である。
【図４】撮像装置のブロック図である。
【図５】撮像及び撮像した画像の表示に関する制御部の処理手順を示すフローチャートである。
【図６】撮像及び撮像した画像の表示に関する制御部の処理手順を示すフローチャートである。
【図７】実施の形態２に係る撮像装置の略示斜視図である。
【図８】撮像装置の略示正面図である。
【符号の説明】
【００６７】
１  収容体
１０  正面側窓部
１１  背面側窓部
２  撮像手段
２ａ  レンズ
２ｂ  撮像素子
３  ファインダ表示パネル
４  表示部
５  プリズム
６  モータ
７０  回動軸
７１  支持部
８１  制御部
８７ａ  電源スイッチ
８７ｂ  撮像ボタン
８７ｃ  切換ボタン
【図１】
2006180286.tif 000003
【図２】
2006180286.tif 000004
【図３】
2006180286.tif 000005
【図４】
2006180286.tif 000006
【図５】
2006180286.tif 000007
【図６】
2006180286.tif 000008
【図７】
2006180286.tif 000009
【図８】
2006180286.tif 000010